(57)【特許請求の範囲】
【請求項１】
移送される容器に異なる温度の温水を順次浴びせて容器内の内容物を所定の温度に加熱、もしくは冷却する容器処理装置において、回転駆動装置により回転され、容器を回転移送する回転移送手段を設け、該回転移送手段の下方に配置され異なる温度に設定された複数の槽を設け、該槽内の温水を前記容器に散水する散水装置を前記回転移送手段上方に設け、前記回転移送手段に対し容器を供給・排出する給排口を設け、前記複数の槽が回転駆動装置を囲むように形成されていることを特徴とするロータリー型容器処理装置。
【請求項２】
回転移送手段の回転に伴い、散水温を順次上昇し、さらに下降するように回転移送手段の下方に設けた各槽の温水の温度を設定し、容器内の内容物を加熱殺菌した後、冷却することを特徴とする請求項１記載のロータリー型容器処理装置。
【発明の詳細な説明】
【０００１】
【発明の属する技術分野】
本発明は、飲料等内容物の充填された容器を加熱、もしくは冷却する容器処理装置であって、詳しくは省スペース化を図ったロータリー型容器処理装置に関するものである。
【０００２】
【従来の技術】
搬送装置により送られる容器に、順次加温用、殺菌用、冷却用の温水を浴びせて、所定の殺菌温度で、容器内の内容物を殺菌する殺菌装置において、温水を散布する槽を搬送方向に沿って複数設けると共に、各槽に散布する温水の温度をそれぞれコントロールする制御装置を設け、該制御装置は、容器の停止を検出して、各槽に停止中の容器に対して、容器が正常に搬送された場合と実質的に同一の加温、殺菌、冷却の温水が散布されるように、各槽に散布される温水の温度をコントロールするようにした容器内容物のトンネル型殺菌装置は従来から知られているところである（特開平８−１９３８６号公報参照）。
【０００３】
【発明が解決しようとする課題】
ところが、特開平８−１９３８６号公報の従来技術では、必要な散水時間の関係上装置全長を短くすることができず、処理数量の少ない低能力機であっても省スペース化が図りずらく、また、容器の供給・排出口を１ヶ所にまとめることができないものであるという問題があった。
【０００４】
本発明は、以上の点に鑑み、回転駆動装置により回転され、容器を回転移送する回転移送手段を設けたロータリー型容器処理装置を提供することにその目的がある。
【０００５】
【課題を解決するための手段】
本発明は、前記課題を解決するために、次のような技術手段を採用した。請求項１記載の発明においては、移送される容器に異なる温度の温水を順次浴びせて容器内の内容物を所定の温度に加熱、もしくは冷却する容器処理装置において、回転駆動装置により回転され、容器を回転移送する回転移送手段を設け、該回転移送手段の下方に配置され異なる温度に設定された複数の槽を設け、該槽内の温水を前記容器に散水する散水装置を前記回転移送手段上方に設け、前記回転移送手段に対し容器を供給・排出する給排口を設け、前記複数の槽が回転駆動装置を囲むように形成されているという技術手段を採用した。
【０００６】
請求項２記載の発明においては、請求項１記載の発明に加えて、回転移送手段の回転に伴い、散水温を順次上昇し、さらに下降するように回転移送手段の下方に設けた各槽の温水の温度を設定し、容器内の内容物を加熱殺菌した後、冷却するという技術手段を採用した。
【０００７】
【発明の実施の形態】
本発明は、回転テーブル上に被処理品を載置し、その回転テーブルの回転している間に、複数の槽の各温度の温水を設定した通りの順序で容器に対して噴射し、処理するロータリー型容器処理装置である。
【０００８】
本実施例においては、回転移送手段として回転テーブルを用いているが、円形に接続したコンベヤや回転軸にホルダ等容器を保持・収容して移送する手段など適宜の手段を用いることができる。
【０００９】
【実施例】
次に、本発明の具体的な一実施例について説明する。
図１は本発明のロータリー型容器処理装置の概略縦断面図、図２は同正面図、図３は同平面図である。
【００１０】
先ず、本発明のロータリー型容器処理装置の全体像を概略説明する。
駆動装置１により回転される容器を載置して、回転移動させる回転テーブル２の下方に複数の槽３を設け、回転テーブル２の上方には、前記各槽３からポンプ４を介して温水を容器５に対して噴射できるように噴射装置６が設けられたロータリー型容器処理装置である。
【００１１】
ここで、本発明のロータリー型容器処理装置について図１〜図３に基づいて詳細に説明する。
ベッド７上の中心部に駆動モータ８と変速装置９を介して、回転テーブル２を回転させる回転軸１０を立設し、該回転軸１０に回転テーブル２が固定されている。また、前記ベッド７上には、前記駆動モータ８と変速装置９と回転軸１０等からなる駆動装置１を囲むように複数の槽３が連結されドーナツ形に形成されている。
【００１２】
この複数の各槽３の各々からポンプ４を介して、回転テーブル２上の容器５に対して温水を噴射できるように噴射ノズル１１、あるいはシャワーパン１２に接続配管され、回転テーブル２上で回転移動している被処理品である、容器５に各槽３からの温水を噴射して加熱、冷却等を行うようにしたものである。
【００１３】
また、図２、図３からも理解できるように、ロータリー型容器処理装置の容器５の給排口に対向するように、搬送用のバケットコンベヤ１４が設置されていて、バケットコンベヤ１４で搬送されてきた被処理品、容器５をピストンシリンダ１５等で往復動できるように設けた把持ガイド１６で把持して、バケットコンベヤ１４からロータリー型容器処理装置の給排口より間歇回転する回転テーブル２上に移送する。
【００１４】
この後、回転テーブル２が一動作分間歇回転することにより把持ガイド１６内の容器が処理工程に導入されるとともに処理の終了した容器５が、把持ガイド１６内に収容される。容器５が収容されると間歇動作停止中に把持ガイド１６はバケットコンベヤ１４上に移動し、これに同期してバケットコンベヤ１４は１バケット分送られ、把持ガイド１６内に新たに容器５が供給されることになる。容器５が供給された把持ガイド１６は、再び間歇動作停止中の装置内に給排口より容器を移送し１サイクルが終了する。これを繰り返して回転テーブル２上に容器５を順次挿入して、これを回転テーブル２の回転速度と同期させて、行っているので容器５は順次処理されて、排出口から取り出し一連の処理が完了する。
【００１５】
また、図３に示すように、回転テーブル２には、バケットコンベヤ１４から把持して回転テーブル２上に移送された容器５の倒れを防止するために、ガイド１７を設けてある。
なお、バケットコンベヤ１４と回転テーブル２の間には渡り板１８が設けられていることはいうまでもない。
【００１６】
次に、図４に示したものは、ロータリー型殺菌装置で一升びんの殺菌処理する１例で、回転テーブル２の給排口１３から人手、あるいは把持装置により給びんし、回転テーブル２の時計方向廻りの回転で、１回転の処理時間が５１分で行う処理について説明する。
【００１７】
先ず、４５℃の温水で８分３０秒加熱し、さらに７０℃の温水で２５分３０秒加熱殺菌し、次に順次温度を下げて４５℃の温水で８分３０秒、さらに３０℃の温水で８分３０秒冷却し、計５１分で１サイクルの殺菌処理を行うようにしたものである。
【００１８】
なお、殺菌処理について説明したが、温水の温度設定を変更することにより単に加熱・冷却のみを行うことができる。
【００１９】
次に、容器処理の動作を説明する。
搬送用のバケットコンベヤ１４によって搬送されてきた内容物充填済みの容器５がロータリー型容器処理装置の給排口１３に対向する位置に送られてくると人手、あるいは自動把持装置で回転テーブル２のガイド１７で位置決めされるように挿入載置されると、回転テーブル２は間歇回転、あるいは回転し、前記図４に基づいて説明した通りの処理を行うようになる。回転テーブル２のガイド１７に合わせて順次、容器５は挿入され、回転テーブル２上に載置され回転している間に回転テーブル２の下方に設置した複数の各槽３に各温度の温水を充填しておき、この各温水をポンプ４を介して配管で噴射ノズル１１、あるいはシャワーパン１２に連結して噴射ノズル１１、シャワーパン１２から容器５に向かって温水を噴射するものである。
【００２０】
なお、この温水は循環できるように、容器５を殺菌した後は、各槽３にそれぞれ戻るように構成されている。また、人手にて給びんを行う場合にはガイド１７はなくても良い。
前記噴射ノズル１１、シャワーパン１２は適宜選択して採用できるものである。
【００２１】
【発明の効果】
本発明は、以上の構成を採用した結果、次の効果を得ることができる。
（１）小さいスペースで低能力容器処理装置を提供できる。
（２）容器の給排部が同一場所にすることができるので、１人で運転作業ができる。
【図面の簡単な説明】
【図１】  本発明のロータリー型容器処理装置の一実施例を示す概略縦断面図である。
【図２】  前記実施例におけるロータリー型容器処理装置を示す概略正面図である。
【図３】  前記実施例におけるロータリー型容器処理装置を示す概略平面図である。
【図４】  本発明のロータリー型殺菌装置の回転テーブル下方の各槽の温度と処理時間の一例を示す概略説明図である。
【符号の説明】
１・・・・駆動装置                  ２・・・・回転テーブル（回転移送手段）
３・・・・槽                        ４・・・・ポンプ
５・・・・容器                      ６・・・・噴射装置
７・・・・ベッド                    ８・・・・駆動モータ
９・・・・変速装置                １０・・・・回転軸
１１・・・・噴射ノズル              １２・・・・シャワーパン
１３・・・・給排口                  １４・・・・バケットコンベヤ
１５・・・・ピストンシリンダ        １６・・・・把持ガイド
１７・・・・ガイド                  １８・・・・渡り板
【図１】
0003652060.tif 000002
【図２】
0003652060.tif 000003
【図３】
0003652060.tif 000004
【図４】
0003652060.tif 000005